(57)【要約】【課題】表示環境に対し、利用者の視認能力に応じて視認性を高めた表示装置を提供する。【解決手段】照度検出手段（１２）と、レンチキュラーレンズ（６）と、バリア手段（８）と、記憶部（１４）と、制御部（１６）を含む。照度検出手段は、表示環境の照度を検出する。レンチキュラーレンズは、複数のカマボコ形状の凸面が形成され、表示部（４）から照射される光を集約して利用者側に投影させる。バリア手段は、表示部の表示面側に配置され、表示部から照射される光を縦または横方向に制限してレンチキュラーレンズ側に通過させる複数の窓部（１０）が形成され、窓部の開口量によって光の照射範囲を制限する。記憶部は、利用者の視認能力に応じた表示設定情報（１５）を記憶する。制御部は、検出した照度に応じた表示設定情報を利用し、表示部から設定距離で離間した利用者が目視する光の絞り径を算出し、絞り径に基づいて算出した窓部の開口量を設定する。【選択図】    図１
2016035513.tif 000002
【特許請求の範囲】
【請求項１】
表示環境の照度を検出する照度検出手段と、
複数のカマボコ形状の凸面部が形成され、表示部から照射される光を集約して利用者側に投影させるレンチキュラーレンズと、
前記表示部の表示面側に配置され、前記表示部から照射される光を縦または横方向に制限して前記レンチキュラーレンズ側に通過させる複数の窓部が形成され、該窓部の開口量によって光の照射範囲を制限するバリア手段と、
前記表示部を視認する利用者の視認能力の照度に応じた表示設定情報を記憶する記憶部と、
検出した照度に応じた前記表示設定情報を利用し、前記表示部から設定距離で離間した利用者が目視する光の絞り径を算出し、該絞り径に基づいて算出した前記窓部の開口量を設定する制御部と、
を備えることを特徴とする表示装置。
【請求項２】
前記表示設定情報には、照度条件に応じて、表示された画像を利用者が視認できる距離情報が含まれ、
前記記憶部には、登録した利用者毎に、表示環境の異なる複数の照度条件に応じた前記距離情報を格納したテーブルが記憶されることを特徴とする請求項１に記載の表示装置。
【請求項３】
前記バリア手段は、前記表示部の表示面に対して平行に積層された２枚以上の遮光部材と、
前記遮光部材同士を平行に変位可能に支持する支持手段と、
を備え、
それぞれの該遮光部材の平面部分に複数の前記窓部が開口され、前記窓部同士が重なる位置に前記遮光部材が配置され、前記支持手段によって前記遮光部材を変位させることで光の照射範囲が設定される
ことを特徴とする請求項１または請求項２に記載の表示装置。
【請求項４】
前記制御部は、予め設定される前記表示部と利用者との視認距離、前記利用者毎に設定された距離情報を利用して、利用者の網膜上に生じる視認ズレの大きさが前記網膜上にある視認対象の間隔よりも小さくなる前記絞りの径を算出し、この絞りの径と前記レンチキュラーレンズの厚みと前記レンチキュラーレンズの屈折力とに基づいて前記窓部の前記開口量を算出する、
ことを特徴とする請求項１ないし請求項３のいずれか１項に記載の表示装置。
【請求項５】
表示環境の照度を検出し、
複数のカマボコ形状の凸面部が形成されたレンチキュラーレンズにより、表示部から照射される光を集約して利用者側に投影させ、
前記表示部から照射される光を縦または横方向に制限して前記レンチキュラーレンズ側に通過させるバリア手段に形成された複数の窓部の開口量によって光の照射範囲を制限し、
前記表示部を視認する利用者の視認能力の照度に応じた表示設定情報を記憶部から読み出し、
検出した照度に応じた前記表示設定情報を利用し、前記表示部から設定距離で離間した利用者が目視する光の絞り径を算出し、
該絞り径に応じて算出した前記窓部の開口量を設定する、
処理を含むことを特徴とする表示制御方法。
【請求項６】
さらに、表示環境に対し、設定された複数の照度条件で照明手段を発光させ、
表示部に視認能力の確認画面を表示させ、
照度条件毎に、利用者が前記確認画面を視認したときの前記表示部と前記利用者との距離情報を取得し、
前記照度条件と前記距離情報とを含む表示設定情報を生成する、
処理を含むことを特徴とする請求項５に記載の表示制御方法。
【発明の詳細な説明】
【技術分野】
【０００１】
本開示の技術は、利用者の視認能力に応じて、画像を視認し易く表示させる表示装置および表示制御方法に関する。
【背景技術】
【０００２】
携帯電話機や携帯端末装置などで表示機能として利用される表示装置では、液晶などの画面に文字や番号などの入力内容や映像などが表示される。またこれらの装置では、たとえば表示された内容に対して指などを接触させて入力するタッチパネルなどを備えたものがある。このような装置では表示内容が視認できなければ使いこなすことは困難であり、視力やその調整機能が低下した利用者が表示内容を正確に把握できないことが想定される。高齢化などで所謂老視の症状をもった利用者は、表示部分を目から離して視るほか、利用する度に老眼鏡の着脱を強いられる。
【０００３】
そこで表示装置では、利用者側に照射する光を絞るとともに、発光部側に向けて光をレンズや変調手段などに通過させることで利用者が視認し易い状態で表示させるものがある。
【０００４】
このような表示装置に関し、入力信号の輝度分布に応じて絞り装置の開口率を変更させ、この入力信号の輝度レベルの変化に応じて、その変化に応じた開閉率をもって絞りを開閉させるものが知られている（例えば、特許文献１）。また、光源からの光を変調する変調素子と、液晶駆動手段との間で光束を制限する絞り手段や、検出したスクリーン上の輝度によって絞り手段の開口サイズを制御するものが知られている（例えば、特許文献２）。そのほか、マイクロレンズアレイを利用し、複数の画素からの光束を利用者の瞳の径よりも小さくして照射させることで、視認した画像のボケを解消させるものが知られている（例えば、特許文献３）が、マイクロレンズアレイは製造が難しく、画面が非常に暗くなるという問題がある。これに対し、製造し易く、なるべく暗くならない技術として、３Ｄで用いられる、カマボコ形状のレンチキュラーレンズを用いて、ユーザの瞳に入射する光束の径を、一方向のみ瞳の径よりも小さく絞る方法がある。この方法では、レンチキュラーレンズとバリアを用いて、所定の方向において絞ることで、２方向に絞る場合に比べて暗くならず、製造もし易い技術を確立している。
【先行技術文献】
【特許文献】
【０００５】
【特許文献１】特開２００８−４６５７２号公報
【特許文献２】特開平８−１０６０９０号公報
【特許文献３】特開２０１１−１０００９０号公報
【発明の概要】
【発明が解決しようとする課題】
【０００６】
ところで、表示装置は、搭載された電子機器などの装置とともに移動することで、色々な条件の環境下で利用される。この環境には、たとえば屋内外や室内であっても照明または外光による明るさの違い、屋外の周辺環境に基づく明るさの違いなどがある。
【０００７】
人体の眼は、表示装置を視認したとき、瞳孔内に入射してくる光に対して網膜上で焦点が合うように調整する機能を有しており、周囲の明るさに応じて瞳孔の径を変化させる。すなわち、利用者の眼は、周囲が明るい場合、瞳孔の径を小さくしても十分視認可能な光が得られることから、網膜保護などのために瞳孔が小さくなる。また周囲環境が暗い場合、利用者の眼は、画像からの光を多く取り込み、その内容を視認するために瞳孔の径が大きくなる。このように瞳孔の径が大きくなる場合、網膜上には、取り込んだ光の結象範囲が広がってしまい、画像の視認精度が悪くなる。これにより利用者は、明るい環境に比べて表示が見えにくくなり、画像に対する焦点を合せ難く被写体の輪郭や本体部分が明確でないボケた状態の画像を視認する。
【０００８】
従来の表示装置では、瞳孔の径よりも小さい光束を照射しているが、利用者の瞳孔の開きに応じて光を照射しなければ、十分に画像を視認させることできないという課題がある。
【０００９】
表示装置では、たとえば瞳孔に対して視認可能な最小限の大きさに絞りを設定するなど、大きく絞ると、視認時の画像が暗くなってしまう。このように表示画像の光を大きく絞って照射する表示装置では、周囲が明るい場合に視認できなくなるという課題がある。
【００１０】
そこで、本開示の技術の目的は、表示環境に対し、利用者の視認能力に応じて視認性を高めた表示装置を提供することにある。
【課題を解決するための手段】
【００１１】
上記目的を達成するため、本開示の技術の一側面は、照度検出手段と、レンチキュラーレンズと、バリア手段と、記憶部と、制御部を含む。照度検出手段は、表示環境の照度を検出する。レンチキュラーレンズは、カマボコ形状の凸面部が形成され、表示部から照射される光を集約して利用者側に投影させる。バリア手段は、前記表示部の表示面側に配置され、前記表示部から照射される光を縦または横方向に制限して前記レンチキュラーレンズ側に通過させる複数の窓部が形成され、該窓部の開口量によって光の照射範囲を制限する。記憶部は、前記表示部を視認する利用者の視認能力の照度に応じた表示設定情報を記憶する。制御部は、検出した照度に応じた前記表示設定情報を利用し、前記表示部から設定距離で離間した利用者が目視する光の絞り径を算出し、該絞り径に基づいて算出した前記窓部の開口量を設定する。
【発明の効果】
【００１２】
本開示の技術によれば、次のいずれかの効果が得られる。
【００１３】
(1) 使用環境の照度に対する利用者の瞳孔の状態に応じて表示光を照射でき、画像の視認性を高めることができる。
【００１４】
(2) 画像の視認性の向上とともに表示光の入射量を多くでき、視認した画像が暗くなるのを防止できる。
【図面の簡単な説明】
【００１５】
【図１】第１の実施の形態に係る表示装置の構成例を示す図である。
【図２】表示装置によるバリア手段の構成例を示す図である。
【図３】周囲環境に応じた瞳孔の状態および絞り制御の一例を示す図である。
【図４】画像の視認状態例を示す図である。
【図５】表示制御の処理例を示すフローチャートである。
【図６】第２の実施の形態に係る表示装置の一例を示す図である。
【図７】表示面側の構成例を示す図である。
【図８】絞りを変化させた場合の画像の視認性の一例を示す図である。
【図９】表示装置の制御部の構成例を示す図である。
【図１０】老眼の度合テーブルの一例を示す図である。
【図１１】表示制御機能の一例を示す図である。
【図１２】バリア制御量算出部の機能の一例を示す図である。
【図１３】絞り径算出機能の一例を示す図である。
【図１４】視認のボケが生じる原理を示す図である。
【図１５】レンズにより形成される絞り径を示す図である。
【図１６】絞り径およびバリア手段のピッチの設定原理を示す図である。
【図１７】瞳孔に対する光束の照射状態例を示す図である。
【図１８】バリア手段のピッチ量の制御状態の一例を示す図である。
【図１９】表示制御の一例を示すフローチャートである。
【図２０】バリア制御量の決定処理例を示すフローチャートである。
【図２１】複数の利用者に対する表示制御処理例を示すフローチャートである。
【図２２】表示制御処理の他の一例を示すフローチャートである。
【図２３】視認能力情報の取得原理の一例を示す図である。
【図２４】視認能力情報の登録処理の一例を示すフローチャートである。
【発明を実施するための形態】
【００１６】
〔第１の実施形態〕
【００１７】
図１は、第１の実施の形態に係る表示装置の一例を示している。この表示装置２は、本開示の表示装置の一例であり、表示画面によって静止画像や動画像などの画像表示機能を有する。この表示装置２は、たとえば携帯電話機やＰＣ（Personal Computer）などの情報処理装置、携帯型のタブレットＰＣで形成される。また表示装置２は、他の情報処理装置で生成した画像情報を表示するディスプレイ装置なども含まれる。表示装置２には、たとえば表示部４、レンチキュラーレンズ（Lenticular Lens）６、バリア手段８、照度検出手段１２、記憶部１４、制御部１６が含まれる。
【００１８】
表示部４は、本開示の表示部の一例であり、制御部１６などで生成された画像、または図示しない他の情報処理装置から受信した画像を表示する。表示部４は、たとえば発光素子やバックライトなどの光源を備えており、光源から発した光が表示面から照射されて表示画像を表示する。
【００１９】
レンチキュラーレンズ６は、表示部４の表示面側に配置され、表示部が発した光を集約して所定方向に投影させる手段の一例である。このレンチキュラーレンズ６は、表面側はカマボコ形状（Cylindrical）のレンズである。レンチキュラーレンズ６は、利用者が目視する表示面側にカマボコ形状の凸面部が形成されており、この凸面部で光が集約され、所定の面積で連続して形成される。レンチキュラーレンズ６の凸面は、たとえば表示部４または表示される画像に対し、所定の画素数を基準に形成面積が設定されている。
【００２０】
これによりレンチキュラーレンズ６は、凸面が形成された範囲毎に絞った光束が利用者側に照射されることで、平面状の表示部６を目視した場合よりも集約した光が照射される。またレンチキュラーレンズ６は、表示部４に対する視認角度や距離の相違により眼球側に照射される光の照射角度が変化する。
【００２１】
バリア手段８は、表示部４の表示面側に配置され、表示部４で発せられた光の表示範囲を制限する手段の一例である。バリア手段８は、たとえば表示部４の表示面の前面に密着または一定の空間をもって設置されており、短冊状の遮光部材により、表示面に対して縦または横方向に一定の間隔で光を通過させる窓部１０が形成されている。バリア手段８は、たとえばレンチキュラーレンズ６の凸面部の形成面積や形成数に応じた面積や数で形成される。すなわち、バリア手段８の窓部１０は、それぞれ対向するレンチキュラーレンズ６の各凸面部に光を通過させる位置に形成される。窓部１０は、通過させる光の量を変化させるように、開口幅であるピッチを増減可能に形成される。
【００２２】
照度検出手段１２は、表示装置２が利用される表示環境の照度を検出する手段の一例である。この照度検出手段１２は、照度計を利用してもよく、または撮像手段で取得した画像により照度を解析してもよい。そのほか、表示装置２の外部にある照度情報を取得してもよい。
【００２３】
記憶部１４は、検出情報や表示装置２の表示制御に利用するプログラムなどを記憶する手段の一例であり、たとえば表示装置２に対する利用者の視認能力に応じた表示設定情報１５を記憶する。表示設定情報１５は、環境照度と老眼などの視認能力とが含まれる。
【００２４】
制御部１６は、表示環境に応じたバリア制御を行う手段の一例であり、たとえば検出した照度情報、表示設定情報１５に基づいてバリア手段８の窓部１０のピッチを設定し、開閉制御する。そのほか、制御部１６は、表示部４で表示する画像生成処理などを行ってもよい。
【００２５】
この表示装置２は、たとえば図２のＡに示すように、バリア手段８およびレンチキュラーレンズ６によって、表示面側を視認する利用者の瞳２０に対して入射する画像の光束ＬＧの絞り径Ｋを所定の方向において瞳孔２２の径Ｗよりも小さくして表示している。このように瞳孔の径Ｗよりも光束の照射幅を小さくすることで、画像の視認性を高める所謂ピンホール効果を実現している。
【００２６】
バリア手段８は、たとえば図２のＢに示すように、表示面に対して縦方向に窓部１０の開口量を切替えることで、利用者の視認能力に応じて、光の照射先に対する絞り径Ｋを調整するとともに、光束ＬＧの入射量を調整する。バリア手段８は、たとえば照度条件に応じて、ピッチを狭くした状態の窓部１０Ａと、ピッチを広くした状態の窓部１０Ｂが切替えられる。窓部１０は、たとえば照度や視認能力に応じてピッチを詳細に調整可能な機構を備えてもよく、または一定幅毎に段階的にピッチを切替える機構であってもよい。
【００２７】
レンチキュラーレンズ６は、窓部１０を通過した光束ＬＧが凸面部側で屈折して所定の方向に集約する。利用者の瞳２０には、レンチキュラーレンズ６の表示面側に対し、凸面部の曲率中心ＲＯを通過する光束ＬＧが照射され、画像を含む光が視認される。
【００２８】
この表示装置２では、バリア手段８が表示部４の表示面に対して横方向に窓部１０が形成されており、縦方向に開口量が調整される。そのため表示面を視認する利用者には、たとえば図２のＣに示すように、各レンチキュラーレンズ６から照射される光束ＬＧが瞳孔２２の縦方向よりも狭い絞り径Ｋとなる。このとき瞳孔２２には、バリア手段８が表示環境の照度に応じて、光を通過させる開口量を広くとった場合、窓部１０Ｂに応じた絞り径ＫＢ、または開口量を狭くとった場合、窓部１０Ａに応じた絞り径ＫＡで光が照射される。
【００２９】
人間の性質として、暗い環境で見た場合と明るい環境で見た場合で瞳孔径Ｗが変化する。例えば、図３のＡに示すように、暗い環境では、なるべく多くの光を取り込もうとする眼の性質で、瞳孔径Ｗａが大きくなるため、左右方向について取り込んだ光の結象範囲ｃ１が広くなり、明るい環境に比べて見えにくくなる。そこで表示装置２では、図３のＢに示すように、バリア手段８で開口量を小さくすることで、絞りの径を暗い環境に合わせて上下方向の絞り径を小さい値にし、ボケを抑制する。また、図３のＣに示すように明るい環境では瞳孔径Ｗｂが小さくなり、絞り径が小さい値のままだと入る光が少なくなってしまうことから、画面が暗く感じる。そのため、表示装置２では、図３のＤに示すように、バリア手段８で開口量を大きくすることで、絞り径を大きくして明るくする。このとき、上下方向について取り込んだ光の結象範囲が広くなるが、左右方向について取り込んだ光の結象範囲ｃ２が狭いので、暗い環境と同等の見やすさを維持できる。したがって、視認性を維持したまま、明るい画像を視認させることが可能である。
【００３０】
＜表示装置２による絞り径Ｋの設定について＞
【００３１】
図４は、画像の視認状態例を示している。
【００３２】
老眼により視認能力が低下した瞳２０では、たとえば図４に示すように、取り込んだ光が網膜２４上で焦点を結象させることができない状態となる。ここでは、たとえば２方向からの光束ＬＧＡ、ＬＧＢが瞳２０に入射した状態を示している。このとき瞳孔２２を通過した光束ＬＧＡ、ＬＧＢは、たとえば図示しない瞳２０の水晶体のレンズ機能により網膜２４よりも後ろ側の焦点位置ＰＡ、ＰＢで結像する状態となっている。そのため利用者には、網膜２４において光束ＬＧＡ、ＬＧＢが広がった、所謂ボケ状態の画像ＧＡ、ＧＢが視認される。このときの広がったボケの直径ＸＡ、ＸＢは、網膜２４における画像の視認ズレの大きさであって、絞り径Ｋや周囲の照度などにより大きさが異なる。また、利用者の視認状態については、利用者による表示装置２の視認距離Ｄ（図２のＡ）の影響も受ける。
【００３３】
この表示装置２では、バリア手段８のピッチによって、複数の光束ＬＧＡ、ＬＧＢに対し、ボケの直径ＸＡまたは直径ＸＢが網膜２４で視認される画像ＸＡＯ、ＸＢＯの間隔よりも小さくなるように、照射する光束の絞り径Ｋを制御する。すなわち、表示装置２は、網膜２４上において視認される画像が重ならないように絞り径Ｋを調整することで、利用者に対する画像の視認性を高める。表示部４の制御では、記憶部１４に記憶された利用者毎の視認能力を含む表示設定情報を利用し、絞り径Ｋおよびバリア手段８のピッチを算出する。
【００３４】
＜表示制御について＞
【００３５】
図５は、表示装置の処理例を示している。図５に示す処理内容、処理手順は一例であり、斯かる内容に本開示の技術が限定されるものではない。
【００３６】
この表示制御は、本開示の表示制御方法、表示制御プログラムの一例である。
【００３７】
表示装置２は、たとえば表示要求を契機に照度検出手段１２を動作させ、表示環境の照度検出処理を行う（Ｓ１）。照度検出手段１２は、検出した照度情報や照度検出に利用する画像情報などを制御部１６に通知する。制御部１６では、たとえば取得した照度情報や照度の解析結果を記憶部１４に格納する。
【００３８】
制御部１６は、記憶部１４から表示装置２の利用者毎の登録情報として、表示設定情報１５を読み出す（Ｓ２）。表示装置２の利用者は、たとえば表示要求時に対して利用者のＩＤ（IDentify）の入力を受ければよい。そして表示装置２では、光源を発光させて画像を表示させる（Ｓ３）。
【００３９】
制御部１６は、たとえば絞り径Ｋやバリア手段８のピッチ算出プログラムを読込み、登録情報と照度情報を利用して、窓部１０の開口量の算出を行い（Ｓ４）、算出結果に基づいて、窓部１０の開口量を調整する（Ｓ５）。
【００４０】
斯かる構成によれば、表示装置２は、使用環境の照度に対し利用者の瞳孔２２の開き具合や視認能力に応じて表示光を照射でき、視認性の向上が図れる。また、視認性の向上とともに表示光の入射量を多くでき、視認した画像が暗くなるのを防止できる。
【００４１】
〔第２の実施の形態〕
【００４２】
図６は、第２の実施の形態に係る表示装置の一例を示している。この表示装置３０は、画像情報の取り込みや生成機能を含むコンピュータを備えた情報処理装置で形成される。表示装装置３０は、たとえば外装ケース３２の一面に、表示機能部品などを収納するとともに表示画面を露出させる収納部３４が形成されている。収納部３４には、たとえばディスプレイ３６が収納されるとともに、ディスプレイ３６の露出した表示面上にパネル部品３８が設置される。また表示装置３０は、たとえば光センサ４０を備えている。
【００４３】
ディスプレイ３６は、生成された画像を表示する表示部の一例であり、たとえばＬＣＤ（Liquid Crystal Display）ユニットや有機ＥＬ（Electro Luminescence）表示ユニットなどで形成される。ディスプレイ３６は、発光による光が表示面から利用者の瞳に投影されることで、画像が視認される。ディスプレイ３６は、たとえばＬＣＤユニットの場合、図示しない内部にバックライトなどを発光させることで光源となり、有機ＥＬ表示ユニットの場合、表示素子自体が発光することで光源となる。
【００４４】
パネル部品３８は、ディスプレイ３６から照射される光を集約するとともに、その照射範囲を制限する機能部品の一例である。パネル部品３８は、たとえば図７に示すように、ディスプレイ３６の表示面側に２枚のバリア部品４４、４６と、さらに表示装置３０の前面側にレンチキュラーレンズ４２を備えている。
【００４５】
バリア部品４４、４６は、本開示の遮光部材の一例であり、たとえば複数の開口窓部４８が形成されており、この窓部４８同士が対向するように平行に積層されている。この開口窓部４８は、バリア部品４４、４６のディスプレイ３６に平行に配置される面に対し、一定の間隔で平行な、所謂、連子（Latticework）状に形成されている。ディスプレイ３６から照射された光は、２つの開口窓部４８によって形成される空間を通過してレンチキュラーレンズ４２に達する。またバリア部品４４、４６には、たとえば上下端部にバリア部品４４、４６を変位可能に支持する支持部５０、５２を備えている。バリア部品４４、４６は、支持部５０、５２によって開口窓部４８の形成方向に対して直交する方向に変位することで、開口窓部４８による光の通過経路幅を調整することができる。
【００４６】
バリア部品４４、４６は、短冊状の遮光部材の間に開口窓部４８が横方向に複数本形成されている。そしてバリア部品４４、４６をそれぞれ上下方向に変位させることで、開口窓部４８の対向位置のズレによって空間の幅（ピッチ）が設定される。開口窓部４８の配置位置や形成数は、レンチキュラーレンズ４２の凸面部の形成位置や数に合わせて設定される。
【００４７】
支持部５０、５２には、たとえばバリア部品４４、４６に対するピッチ制御に基づいて変位可能な図示しない駆動手段を備えており、収納部３４内で変位させてもよく、または制御量に応じて内部にバリア部品４４、４６を出し入れさせる機構を備えてもよい。
【００４８】
表示装置３０では、バリア部品４４、４６の開口窓部４８の幅（ピッチ）によって利用者の瞳２０に対する照射範囲を絞っている。
【００４９】
なお、支持部５０、５２は、たとえばバリア部品４４、４６を左右方向に変位させる場合には、支持部５０、５２をバリア部品４４、４６の左右端部に設置してもよく、または全周囲部分に設置してもよい。
【００５０】
レンチキュラーレンズ４２は表示面上に、一定幅の複数の凸面部が形成されており、凸面部に対して照射された光を屈折させて集約させる。凸面部は、バリア部品４４、４６によって形成される空間の位置に合せて、形成位置や幅を設定すればよい。
【００５１】
光センサ４０は、本開示の照度検出手段の一例であり、たとえばＣＣＤ（Charge Coupled Device）カメラなどが含まれており、撮像画像を利用して表示装置３０が利用されている環境の照度の測定に利用される。取り込んだ画像情報は、表示制御を行うコンピュータに送信されて照度の解析が行われる。この照度検出には、カメラの他、フォトダイオードやフォトレジスタなどの光センサとして機能するものを利用してもよい。
【００５２】
＜バリア手段による光の絞りと視認性の関係について＞
【００５３】
図８は、絞りを変化させた場合の画像の視認性の一例を示している。表示装置３０は、たとえば図８のＡに示すように、パネル部品３８の開口窓部４８を大きく開口させた場合、ディスプレイ３６から照射される光が広く照射される。このとき利用者の瞳２０に対する絞り径ＫＡが瞳孔２２の径Ｗと同等またはそれより広くなっている場合、瞳に取り込まれた光は、網膜２４よりも背面側の焦点位置ＰＸで結象されるため、網膜では、広くぼやけた画像ＧＣが視認されることになる。
【００５４】
これに対し表示部３０は、たとえば図８のＢに示すように、開口窓部４８の空間幅を小さくすることで、瞳２０に対する絞り径ＫＢが瞳孔２２の径Ｗよりも小さくなる。このとき、網膜２４には、所謂ピンホール効果により、縦方向の幅が小さく、ぼけの少ない画像ＧＤが照射されて視認される。
【００５５】
＜表示装置３０の制御部の構成例について＞
【００５６】
図９は、表示装置の制御部の構成例を示している。
【００５７】
表示装置３０は、照度の解析や利用者の視認能力に応じたバリア部品４４、４６によるピッチ制御などを行う制御部６０を備えている。この制御部６０は、表示制御プログラムを実行するコンピュータで形成される。
【００５８】
制御部６０は、たとえば図８に示すように、プロセッサ６２、記憶部６４、ＲＡＭ（Random Access Memory）６６、Ｉ／Ｏ（Input／Output）６８がバス７０を介して接続される。プロセッサ６２は、表示装置３０を動作させるＯＳ（Operating System）や表示制御プログラムなどを実行させる演算処理手段の一例である。
【００５９】
記憶部６４は、表示制御プログラムやＯＳなどを記憶するほか、利用者のＩＤ情報、利用者の視認能力に応じた表示設定情報１５などを格納する手段の一例である。記憶部６４は、たとえばＦＬＡＳＨメモリやＨＤＤ（Hard Disk Drive）やＳＳＤ（Solid State Drive）など、不揮発性メモリで形成される。また記憶部６４には、光センサ４０で取り込んだ画像や解析した照度情報などが格納される。
【００６０】
ＲＡＭ６６は、プロセッサ６２が演算処理する各種プログラムの処理領域を形成する。Ｉ／Ｏは、表示装置３０の機能部品と制御部６０とを電気的に接続させるインターフェースの一例であり、コネクタなどを介して物理的に接続されるほか、赤外線やBluetooth（登録商標）、その他の近距離無線通信などを利用してもよい。
【００６１】
そのほか、制御部６０には、たとえば外部の情報処理装置と接続するためのインターフェース、または、インターネットや近距離無線通信などを利用する通信機能を備えてもよい。
【００６２】
なお、利用者のＩＤ情報や表示制御プログラム、その他の情報については、記憶部６４に予め格納されている場合のほか、ネットワークや図示しない外部機器から取得し、記憶部６４に格納させてもよい。
【００６３】
＜利用者の視認能力を示す情報について＞
【００６４】
図１０は、老眼の度合テーブルの一例を示している。
【００６５】
表示装置３０の記憶部６４には、利用者の視認能力に応じた表示設定情報として、老眼の度合テーブル７２が記憶されている。老眼の度合テーブル７２には、視認環境の照度情報７４に対して、特定の画像が視認できる距離である老眼の度合の情報７６が含まれる。この老眼の度合の情報７６には、利用者の視認能力に含まれる焦点調整能力が示されている。
【００６６】
老眼の度合テーブル７２には、老視状態の利用者の視認能力について、たとえば周囲が明るい場合には近くで視認することができ、逆に周囲が暗い場合には遠く離れなければ視認することができない状態が示されている。
【００６７】
＜表示制御機能について＞
【００６８】
図１１は、表示制御機能の一例を示している。この表示制御機能は、たとえば表示制御プログラムの実行により、制御部６０に形成される機能部の一例である。
【００６９】
表示装置３０は、表示環境の明るさに対し利用者の視認能力に応じてバリア部品４４、４６のピッチを算出し、利用者が視認し易い絞りを設定して画像を含む光束ＬＧを照射する。この表示制御に関し、制御部６０には、たとえば照度検出部８０、バリア制御量算出部８２、バリア制御部８８が形成される。
【００７０】
照度検出部８０は、光センサ４０から取り込んだ画像に基づいて表示環境の照度を検出する手段の一例である。照度検出部８０は、たとえば画像について輝度分析を行い、０〜２５５に量子化された輝度値に基づいて表示環境の明るさを解析して照度を設定する。
【００７１】
バリア制御量算出部８２は、記憶部６４に記憶された算出情報８４と、レンチキュラーレンズ４２の特性情報８６を取り込み、利用者の瞳２０に対する絞り径を算出し、その絞り径に基づいてバリア部品４４、４６に対する制御量を算出する。算出情報８４には、たとえば利用者の情報である老眼度合テーブル７２が含まれるほか、後述する絞り径の算出原理に利用する視認距離、ディスプレイ３６上に表示された複数の線に対する距離情報などが含まれる。レンチキュラーレンズ４２の特性情報８６には、たとえばレンチの厚みや屈折力情報が含まれる。
【００７２】
バリア制御部８８は、たとえば算出されたバリア制御量に基づいて、支持部５０、５２の駆動手段を動作させ、バリア部品４４、４６の変位を制御する。
【００７３】
バリア制御量算出部８２には、たとえば図１２に示すように、照度に応じた絞り径算出機能９０や、算出された絞り径からバリア制御量を決定するバリア制御量決定機能９２が含まれる。照度に応じた絞り径算出機能９０は、検出された照度情報および算出情報８４を利用して絞り径Ｋを算出する。具体的には、検出した照度に対応する老眼の度合いを老眼の度合テーブル７２から読み出し、老眼の度合い、視認距離、ディスプレイ３６上の線の間隔から網膜２４上で視認される画像のボケの直径が網膜２４上における線の間隔以下となるように、絞り径Ｋを算出する。ここでディスプレイ３６上の線は、利用者の視認能力の取得において表示させる複数の線である。後述する表示制御の原理では、この線の間隔と網膜上で視認されるこの線の画像の間隔を利用して絞り径Ｋを算出する。バリア制御量決定機能９２は、レンチキュラーレンズ４２の特性情報８６を参照して、レンズ機能に応じたピッチ制御量を決定する。
【００７４】
さらに絞り径算出機能９０には、たとえば図１３に示すように、照度に応じた老眼の度合決定機能９４、網膜上の線の間隔決定機能９６、絞り径決定機能９８が含まれる。
【００７５】
照度に応じた老眼の度合決定機能９４は、照度情報に対し、老眼の度合テーブル７２を参照して、現在の表示環境に対する利用者の視認能力（老眼の度合）を決定する。網膜上の線の間隔決定機能９６は、たとえばディスプレイ３６上の線の間隔から、網膜上で視認される画像に含まれる線の間隔を決定する。絞り径決定機能９８では、老眼の度合と網膜上の線の間隔を利用して、絞り径Ｋを決定する。
【００７６】
＜被写体に対する視認状態について＞
【００７７】
図１４は、視認のボケが生じる原理について示している。利用者は、たとえば図１４のＡに示すように、ディスプレイ３６に表示される画像を被写体Ｚ１とすると、視認距離Ｄαで光による画像がはっきりと視認される。このとき、利用者の瞳孔２２を通過した光束は瞳２０の網膜上に焦点ＰＣが合せられる。この視認距離Ｄαは、この利用者の視認能力であり、たとえば利用者の眼が老視の場合に老眼の度合を表す。
【００７８】
この利用者は、たとえば図１４のＢに示すように、被写体Ｚ１に対して視認距離Ｄαよりも近い位置の距離Ｄで視認した場合、視認距離のずれに応じて焦点ＰＤの位置がずれることで、光束ＬＧがボケた状態で視認される。
【００７９】
このとき視認距離Ｄα、焦点距離ｆ、瞳孔２２から網膜２４までの長さＡの関係は、レンズの公式から、以下の式（１）が成り立つ。
１／ｆ＝１／Ａ＋１／Ｄα                              ・・・（１）
【００８０】
そして、この視認能力の利用者が距離Ｄ（Ｄ＜Ｄα）にある被写体Ｚ１を見た場合、同様にレンズの公式から以下の式（２）が成り立つ。
１／ｆ＝１／（Ａ＋Ｓ）＋１／Ｄ                        ・・・（２）
Ｓは、焦点位置ＰＤのズレを示す。このとき、式（１）と式（２）は、同じ視認能力であることから、以下の式（３）が成り立つ。
〔１／Ａ＋１／Ｄα〕＝〔１／ｆ＝１／（Ａ＋Ｓ）＋１／Ｄ〕
Ｓ＝（Ｄα−Ｄ）Ａ2／（ＤαＤ＋ＤＡ−ＤαＡ）    ・・・（３）
【００８１】
そして図１４のＢに示す瞳孔２２から焦点位置ＰＤの間に形成される光の照射範囲を示す三角形について、瞳孔２２での光の絞り径Ｋと網膜２４で視認される画像のボケの直径Ｘとは、たとえば三角形の相似の関係から以下の式（４）が成り立つ。
Ｘ：Ｋ＝Ｓ：（Ｓ＋Ａ）  ⇒  Ｘ＝ＫＳ／（Ｓ＋Ａ）      ・・・（４）
さらに、式（４）に式（３）を代入すると、
Ｘ＝Ｋ（Ｄα−Ｄ）Ａ2／｛（Ｄα−Ｄ）Ａ2＋Ａ（ＤαＤ＋ＤＡ−ＤαＡ）｝
⇒  Ｘ＝ＫＡ（１／Ｄ−１／Ｄα）   ・・・（５）
となる。
【００８２】
＜レンズを通じて形成される光の絞り径Ｋについて＞
【００８３】
バリア部品４４、４６に対し、レンチキュラーレンズ４２を通じて形成される瞳孔２２での絞り径Ｋは、たとえば図１５に示すように、レンチキュラーレンズ４２の厚みｔ、バリアのピッチΔｐ、視認距離Ｄ、レンチキュラーレンズ４２の屈折率ｎを利用して設定される。すなわち瞳孔２２での絞り径Ｋは、たとえば三角形の相似を利用し、以下の式（６）の関係が成り立つ。
Ｋ＝ΔｐＤ（ｎ／ｔ）                        ・・・（６）
【００８４】
式（５）に式（６）を代入すると、ボケの直径Ｘは、たとえば
Ｘ＝ＡΔｐＤ（ｎ／ｔ）・（１／Ｄ−１／Ｄα）            ・・・（７）
となる。
【００８５】
＜絞り径およびバリア手段のピッチの設定原理について＞
【００８６】
図１６は、表示装置による絞り径およびバリア手段のピッチ設定の原理を示している。
【００８７】
表示装置３０では、表示環境に対する利用者毎の視認能力に応じて、バリア部品４４、４６の空間のピッチを調整して、ディスプレイ３６が表示する画像をボケが少ない状態で視認できるように発光方向や発光範囲を調整する。そこで、バリア部品４４、４６に対する制御では、たとえば図１６のＡに示すように、ディスプレイ３６に表示される画面の内、たとえばＹ分の間隔で表示された２本の線画像ＬＡ、ＬＢを利用し、利用者がこの線画像ＬＡ、ＬＢを判別可能な絞り径ＫおよびピッチΔｐの条件が設定される。
【００８８】
視認距離Ｄで線画像ＬＡ、ＬＢを視た利用者には、たとえば図１６のＢに示すように、網膜２４上において画像ＸＡＯ、ＸＢＯとその周囲にボケが生じた画像ＧＡ、ＧＢが視認される。表示制御では、利用者が網膜２４上において画像ＸＡＯ、ＸＢＯが重なって見えないように、網膜上に光を照射させる条件を設定する。
【００８９】
Ｙ分の間隔で表示された線画像ＬＡ、ＬＢを認識させるには、視力を１／Ｙに矯正させることになり、距離Ｄだけ離れた位置でＤ・ｔａｎ（Ｙ／６０）の間隔の線が見えればよい。ここで、視力は、所定の距離から離れた位置にある線間隔により決まる視角を見分けられる能力である。この視角は視認する被写体との距離によって変化し、距離が近づくのに応じて視角は大きくなる。Ｙ分の間隔で表示された線画像は、視角がＹの６０分の１［°］に設定されていることを示す。
【００９０】
線画像の間隔は、ディスプレイ３６と瞳孔２２までに形成される光の照射範囲の三角形と瞳孔２２から網膜２４までの光の通過を示す三角形の相似関係から、網膜上では、Ａ／Ｄ倍で視認される。すなわち、
Ｄ・ｔａｎ（Ｙ／６０）・（Ａ／Ｄ）＝Ａ・ｔａｎ（Ｙ／６０）      ・・・（８）
となる。
【００９１】
そこで、２つの線画像ＬＡ、ＬＢが重ならないように視認させるには、ボケの直径Ｘ（ＸＡまたはＸＢ）が式（８）に示す線間隔よりも小さくなる絞り径Ｋを設定すればよい。すなわち、式（６）、式（７）、式（８）から、以下の関係を満たせばよい。
ＡΔｐＤ（ｎ／ｔ）・（１／Ｄ−１／Ｄα）≦Ａ・ｔａｎ（Ｙ／６０）
⇒  ΔｐＤ（ｎ／ｔ）・（１／Ｄ−１／Ｄα）≦ｔａｎ（Ｙ／６０）
Ｋ・（１／Ｄ−１／Ｄα）≦ｔａｎ（Ｙ／６０）  ・・・（９）
この式（９）において、予めＹ分の間隔、視認距離Ｄ、Ｄαが決まることで、現時刻のボケの直径Ｘに応じた絞り径Ｋが設定される。視認距離Ｄは、たとえばディスプレイ３６を視聴するとき一般に画面の高さの３倍程度が良いとされており、ディスプレイ３６が１５［インチ］の場合、高さが約２０［ｃｍ］になり、視認距離Ｄは６０［ｃｍ］と設定すればよい。さらに、絞りをかけていない方向のボケがあることを考慮して、Ｋをβ倍（β＜１）してもよい。
【００９２】
そして表示制御では、式（９）を利用し、照度に合わせた絞りの径になるよう、絞りの径、視認距離、照度により変化する老眼の度合い、網膜２４上における２つの線の間隔に関する関係から、絞りの径Ｋを決定する。このとき、絞りの径、視認距離、老眼の度合いから決まるボケの量をボケの直径として定量化し、照度によって変化する老眼の度合いに応じて、網膜上での２つの線の間隔以下の絞り径を求める。
【００９３】
表示装置３０は、たとえば図１７に示すように、パネル部品３８のバリアによるピッチ制御およびレンチキュラーレンズ４２による光束ＬＧの集約によって、瞳孔２２に対する上下方向での照射範囲を絞ることができる。すなわち表示装置３０は、絞りが効いていない左右方向において照度が変化してボケの直径が変わった分、上下方向において絞りの径を変化させ、照度に合わせた表示を実現する。
【００９４】
＜バリア手段の制御について＞
【００９５】
バリア手段の制御では、式（６）に対し、算出した絞り径Ｋや視認距離Ｄなどを利用してピッチΔｐを算出する。バリア部品４４、４６に対する制御では、たとえば図１８のＡに示すように、現在設定されているピッチ量Δｐ（ｔ−１）の設定条件を把握する。バリア制御部８８では、図１８のＢに示すように、現在の表示環境に応じて算出したピッチ量Δｐ（ｔ）を現在設定されているピッチ量Δｐ（ｔ−１）と比較し、その差分を算出する。
【００９６】
そしてバリア制御部８８は、算出したピッチ量の差分に基づいてバリア部品４４、４６の変位量を設定する。このバリア部品４４、４６の変位量の設定では、たとえばバリア部品４４、４６をそれぞれ均等に設定し、逆方向に変位させてもよく、または現在の配置位置に応じて、変位量を調整してもよい。
【００９７】
なお、バリア制御では、バリア部品４４、４６を共に動作させるものに限られず、いずれか一方のみを変位させてもよい。
【００９８】
＜表示制御について＞
【００９９】
図１９は、表示制御例を示すフローチャートである。この表示制御例は、本開示の表示制御方法または表示制御プログラムの一例であり、本開示の技術が斯かる処理手順、処理内容に限定されるものではない。
【０１００】
表示制御では、照度検出処理（Ｓ１１）として、光センサ４０により得られた映像などから表示環境の明るさを検出する。照度情報は、記憶部６４に格納され、バリア制御量の設定に利用される。
【０１０１】
制御部６０は、たとえば絞りの径、老眼の度合い、網膜上における２つの線の間隔に関する関係に基づく算出原理により、バリア制御量の決定処理を行う（Ｓ１２）。このバリア制御量決定処理では、検出した照度情報を利用し、現在の表示環境に対して、利用者が視認し易いように、バリア手段による光の照射条件を設定する。
【０１０２】
制御部６０に形成されるバリア制御部８８は、決定されたバリア制御量に基づいて、バリア部品４４、４６を機械的に移動させる（Ｓ１３）。バリア手段は、バリア部品４４、４６に設定された開口窓部４８を通じて画像の光束ＬＧを通過させる。バリア手段は、ディスプレイ３６から照射される光を縦または横方向に制限する。この光束ＬＧは、複数の凹凸面が形成されたレンチキュラーレンズ４２によって集約され、利用者側に投影される。バリア部品４４、４６は、既述のように、算出されたピッチと現在設定されているピッチとの差分に基づいてスライドさせればよい。
【０１０３】
＜バリア制御量の決定処理について＞
【０１０４】
バリア制御量の決定では、たとえば図２０に示すように、照度に対応する老眼の度合を老眼の度合テーブル７２より取得し、絞り径Ｋ、視認距離Ｄ、Ｄα、網膜２４上において視認される線画像の間隔の関係を利用し、照度に合わせた絞り径Ｋを算出する（Ｓ２１）。
【０１０５】
そして算出した絞り径Ｋに基づき、バリア手段の開口窓部のピッチΔｐを算出する（Ｓ２２）。
【０１０６】
＜表示装置を複数の利用者が利用する場合の表示制御について＞
【０１０７】
図２１は、複数の利用者に対する表示制御処理例を示している。この表示装置３０は、それぞれ視認能力が異なる利用者に応じて、絞り径Ｋおよびバリア手段のピッチを切替え、各利用者に最適な状態で画像の表示を行う。
【０１０８】
この表示制御では、表示装置３０の利用開始時や利用者が切り替わったときに、ＩＤ情報の入力画面を表示し（Ｓ３１）、利用者を特定する。制御部６０は、入力されたＩＤ情報について、記憶部６４にあるデータベースを参照しＩＤ認証を行う（Ｓ３２）。表示装置３０は、ＩＤ認証の結果、登録された利用者情報が有る場合には、その利用者の設定情報を読み出し、表示制御に利用する（Ｓ３３）。このデータベースには、たとえばＩＤ、パスワードとともに、老眼の度合テーブル７２が関連付けられて格納されている。
【０１０９】
なお、ＩＤ認証の結果、該当する登録情報が無い場合、表示装置３０は、たとえばその旨をディスプレイ３６に表示させるほか、利用者の登録を促す表示を行ってもよい。また、登録情報が無い場合には、制御部６０は、利用者の視認能力に関わらず、予め設定された通常の表示制御を行なえばよい。
【０１１０】
表示装置３０は、現在の利用者の登録情報を利用し、照度検出やバリア制御量の設定を行えばよく、表示制御のＳ３４〜Ｓ３６は、図１９のＳ１１〜Ｓ１３と同様の処理を行えばよい。
【０１１１】
＜表示制御の他の例について＞
【０１１２】
図２２は、表示制御処理の他の一例を示している。
【０１１３】
この表示制御処理では、たとえば表示処理の実行中に周囲の照度が変化する場合、照度が所定以上変化した場合にバリア手段のピッチの切替えを行うものである。
【０１１４】
そこで、表示装置３０は、照度検出処理が行われると（Ｓ４１）、取得した現時刻の照度情報と、記憶した一時刻前の照度情報とを比較して差分を算出し、その差分が所定の閾値よりも大きいか否かを判断する（Ｓ４２）。この差分判断における閾値の大きさにより表示装置３０の照度変化に対する反応性が決まる。すなわち表示装置３０は、たとえば閾値が小さいほど、小さな照度変化に対してバリア手段のピッチを調整し、利用者が視認し易くなるが、ピッチの切替え頻度が多くなり、消費電力の増加などが生じるおそれがある。
【０１１５】
この閾値は、たとえば表示装置３０が利用される環境条件によって調整または選択できるようにしてもよい。
【０１１６】
照度の差分が閾値より大きい場合（Ｓ４２のＹＥＳ）、表示装置３０は、利用者の視認能力に応じてバリア手段のピッチを調整するためバリア制御量の決定処理に移行する（Ｓ４３）。Ｓ４３、Ｓ４４の処理は、図１９のＳ１２、Ｓ１３と同様に行えばよい。
【０１１７】
なお、表示装置３０は、たとえば表示処理を開始してから最初の照度検出処理を行った場合は、Ｓ４２の差分判断をスキップしてバリア制御量の決定処理（Ｓ４３）を行えばよい。
【０１１８】
照度の差分が閾値より小さい場合（Ｓ４２のＮＯ）、現状のバリア手段のピッチを維持させる。
【０１１９】
そして、表示装置３０は、表示処理についての終了指示があるか否かを監視し（Ｓ４５）、終了指示がある場合（Ｓ４５のＹＥＳ）、表示処理を終了する。
【０１２０】
これにより、表示装置３０は、微少な照度変化に対して頻繁にバリア制御を繰り返すことがなくなり、省電効果が得られる。
【０１２１】
斯かる構成によれば、表示環境の照度に合わせた絞り径Ｋの制御が可能になる。老眼の度合いが強くなる暗い環境のときは、絞り径Ｋを小さくすることで見易くし、老眼の度合いが弱い明るい環境のときは、絞り径Ｋを大きくすることで、明るい状態で画像を視認させることができる。また、この表示装置３０では、縦または横方向の一方向にのみバリア手段によるピッチを設定することで、利用者の視認能力に対する光束ＬＧの入射量を調整するとともに、より多くの光束ＬＧを瞳２０に照射でき、視認性を高めることができる。さらに、バリア手段は、一方向にのみ開閉させる短冊形状に形成すればよく、開閉構造が簡易化できる。
【０１２２】
〔第３の実施の形態〕
【０１２３】
図２３は、視認能力情報の取得原理の一例を示している。
【０１２４】
表示装置３０では、たとえば使用開始時などのユーザ登録時に、各利用者の視認能力を登録する登録モードを備えている。この登録モードでは、図２３に示すように、室内の照明１００などを利用し、照度毎に視認能力を検出して登録する。
【０１２５】
登録モードにおいて、表示装置３０は、照明１００が所定の照度Ｔ１〜ＴＮに設定される表示環境において、ディスプレイ３６上に視認性を確認するために、Ｙ分の間隔で線画像ＬＡ、ＬＢを含む確認画面を表示し、登録対象の利用者に視認させる。視認能力の登録では、ディスプレイ３６に対して利用者が少しずつ遠ざかっていき、その線画像ＬＡ、ＬＢが初めて２本見える視認距離Ｄ１〜ＤＮを測定して入力する。ここで、初めて２本見える視認距離における焦点の位置は、たとえば既述の図１３のＡに示す瞳孔２２よりも距離Ｓ’だけ後ろになる。距離Ｓ’は、瞳孔２２から網膜までの長さＡに対して微小である。この視認距離Ｄ１〜ＤＮが照度条件Ｔ１〜ＴＮに対する老眼の度合いとなる。この距離Ｓ’を含む場合のぼけの直径Ｘを算出すると、以下式となる。
１／ｆ＝１／（Ａ＋Ｓ’）＋１／Ｄα                          ・・・（１０）
上式と式（２）より、
１／（Ａ＋Ｓ’）＋１／Ｄα＝１／（Ａ＋Ｓ）＋１／Ｄ
Ｓ＝（ＤＤαＳ’＋（Ａ＋Ｓ’）Ａ（Ｄα−Ｄ））
／（Ａ＋Ｓ’）（Ｄ−Ｄα）＋ＤＤα）      ・・・（１１）
となる。そして上式を式（４）に代入すると、
Ｘ＝ＫＳ’／（Ｓ’＋Ａ）＋ＫＡ（１／Ｄ−１／Ｄα））
となる。Ｓ’＜＜Ａと仮定すると、Ｓ’＜＜（Ｓ’＋Ａ）のため、第一項が０となり、
Ｘ≒ＫＡ（１／Ｄ−１／Ｄα））                                ・・・（１２）
となる。
【０１２６】
＜視認能力の登録処理について＞
【０１２７】
図２４は、視認能力情報の登録処理例を示している。
【０１２８】
登録処理では、利用者とディスプレイ３６との距離を設定する（Ｓ５１）。この時に設定する距離は基準位置であり、たとえばディスプレイ３６の大きさに応じて設定される視認距離Ｄが設定されればよい。照明１００の照度を調整し、所定の照度Ｔが設定される（Ｓ５２）。このとき表示装置３０では、室内の照度を所定の値に設定してもよく、または照明１００の照度に対して光センサ４０による照度検出を行い、その照度における視認能力の測定を行ってもよい。
【０１２９】
表示装置３０は、ディスプレイ３６にＹ分間隔の２本の線画像ＬＡ、ＬＢを表示する（Ｓ５３）。そして登録処理では、利用者がディスプレイ３６に対する距離を調整し、線画像ＬＡ、ＬＢが視認できる位置に達した時の距離を測定する（Ｓ５４）。この距離測定は、たとえば利用者がメジャーなどで測定してもよく、または表示装置３０に搭載したセンサなどで距離測定を行ってもよい。
【０１３０】
測定した距離情報は、記憶部６４に生成された老眼の度合テーブル７２に対し、照度条件に関連付けて登録される（Ｓ５５）。視認能力の登録は、設定された全ての照度条件における測定が終了するまで繰り返される（Ｓ５６）。
【０１３１】
斯かる構成によれば、表示装置３０によるバリア制御の絞り径の算出原理と同様の状態で視認能力を測定し、老眼の度合テーブル７２を作成することで、表示制御を行う場合により精度の高いバリア制御が行えるので、利用者に対する視認性の向上が図れる。
【０１３２】
〔他の実施の形態〕
【０１３３】
以上説明した実施の形態について、特徴事項や変形例を以下に列挙する。
【０１３４】
(1) 表示装置２、３０は、照度に合わせた絞り径Ｋになるよう、絞り径Ｋ、視認距離Ｄ、照度により変化する老眼の度合いを示す視認距離Ｄα、網膜２４上における２つの線の間隔に関する関係から、絞りの径Ｋを決定する。
【０１３５】
(2) 表示装置３０は、レンチキュラーレンズ４２と２枚の短冊状のバリア部品４４、４６が設置されたディスプレイ３６と光センサ４０とを備える。そして表示装置３０は、光センサ４０を用いて照度を検出する照度検出部８０と、利用者毎に事前に設定した照度と老眼の度合いの対応を表した、老眼の度合テーブル７２、検出した照度、所定の視認距離、レンチの厚み、レンチの屈折力、ディスプレイ３６上での２つの線の間隔に基づき算出される、バリアのピッチを制御量とするバリア制御量算出部８２を備える。そして表示装置３０は、バリア制御量に基づき、２枚重ねにしたバリア部品４４、４６をシフトさせることでレンチキュラーレンズ４２とバリアにより形成される絞り径Ｋを制御するバリア制御部８８を備え、照度に応じた絞り径Ｋとなる光束ＬＧを照射する。またこの構成を実現する映像表示方法や映像表示プログラムを備える。
【０１３６】
(3) また、バリア制御量算出部８２は、検出した照度に対応する老眼の度合いを老眼の度合テーブル７２より求める。バリア制御量算出部８２は、老眼の度合い、視認距離、ディスプレイ３６上での２つの線の間隔から網膜２４上におけるボケの直径Ｘが、網膜２４上における２つの線の間隔以下となる絞り径Ｋを算出する照度に応じた絞り径算出機能９０を備える。またバリア制御量算出部８２は、バリアのピッチを制御量とする、バリア制御量決定機能９２を備える。
【０１３７】
(4) 絞り径算出機能９０は、老眼の度合テーブル７２に基づく照度に応じた老眼の度合決定機能９４と、ディスプレイ３６上での２つの線の間隔に対する網膜２４上の線の間隔決定機能９６を備える。また絞り径算出機能９０は、網膜上での２つの線の間隔を、視認距離の逆数から照度ごとに決定される老眼の度合いの逆数を引いた差分の値で割ることで、絞り径を計算する絞り径決定機能９８を備える。
【０１３８】
(5) 上記実施の形態では、表示装置２、３０として、タブレットＰＣなどの情報処理装置を示したがこれに限られない。表示装置２、３０は、情報処理機能を備えた外部装置からの映像信号を表示するモニタ装置であってもよい。この場合、表示制御は、たとえば接続された外部の情報処理装置によって照度検出や絞り径の算出、バリア手段のピッチ設定処理などを行えばよい。そのほか、表示装置２、３０は、たとえば表示機能を備えたゲーム機等も含まれる。
【０１３９】
(6) 上記実施の形態では、バリア手段として２枚の短冊状のバリア部品４４、４６を支持部品５０、５２によってシフトさせる構造例を示したがこれに限られない。バリア手段は、たとえばピッチが異なるバリア部品を複数枚重ね、各々のバリア部品の配置状態を切替えて、光を遮光する状態を形成してもよい。そしてバリア制御では、算出したバリアのピッチに近いバリアを有効にすることで、光を通過させる窓部を形成してもよい。そのほかバリア手段は、光束ＬＧを通過させる開口部分のピッチを調整可能な構成であればどのようなものであってもよい。
【０１４０】
(7) 上記実施の形態では、表示装置２、３０は、検出した照度に基づく利用者の視認能力で視認できるようにバリア手段のピッチを設定している。この構成に対し、表示装置２、３０は、たとえば利用者が画像を視認し難い場合、バリア手段のピッチを調整する機能を備えてもよい。
【０１４１】
バリア手段のピッチ調整では、たとえば実際に利用者がディスプレイ３６を視ている距離が老眼の度合として設定した視認距離Ｄαと異なる場合や、適切に照度が検出できない場合などがある。表示装置２、３０は、たとえば表示画面の一部または操作入力手段に、表示制御の調整処理を実行する機能を備えればよい。表示制御の調整では、たとえば再度の照度検出を実行するほか、利用者の視認距離の情報の増減入力を可能にしてもよい。そして制御部６０では、入力された情報に基づいて、絞り径Ｋを算出し、利用者の視認距離に応じたバリア手段のピッチを調整してもよい。
【０１４２】
そのほか、表示装置２、３０では、たとえば調整処理が繰り返し要求される場合には、照度検出機能の異常報知や、利用者の設定ミスなどのエラー検出を行ってもよい。また、表示装置２、３０は、たとえば調整された視認距離が表示制御を行っている利用者ＩＤの老眼の度合に対して大きく異なる場合、利用者の切替えを報知する表示を行うほか、新たに老眼の度合情報の測定処理を行う旨の表示を行ってもよい。
【０１４３】
斯かる構成によれば、利用者に対する視認制御を適切に行うことが可能となる。
【０１４４】
(8) 上記実施の形態では、バリア手段は、バリア部品４４、４６の両方をピッチの制御量に応じて変位させる場合を示したがこれに限られない。バリア部品４４、４６は、たとえばいずれか一方のみを変位させてもよい。
【０１４５】
次に、以上述べた実施の形態に関し、更に以下の付記を開示する。以下の付記に本開示の技術が限定されるものではない。
【０１４６】
（付記１）表示環境の照度を検出する照度検出手段と、
複数のカマボコ形状の凸面部が形成され、表示部から照射される光を集約して利用者側に投影させるレンチキュラーレンズと、
前記表示部の表示面側に配置され、前記表示部から照射される光を縦または横方向に制限して前記レンチキュラーレンズ側に通過させる複数の窓部が形成され、該窓部の開口量によって光の照射範囲を制限するバリア手段と、
前記表示部を視認する利用者の視認能力の照度に応じた表示設定情報を記憶する記憶部と、
検出した照度に応じた前記表示設定情報を利用し、前記表示部から設定距離で離間した利用者が目視する光の絞り径を算出し、該絞り径に基づいて算出した前記窓部の開口量を設定する制御部と、
を備えることを特徴とする表示装置。
【０１４７】
（付記２）前記表示設定情報には、照度条件に応じて、表示された画像を利用者が視認できる距離情報が含まれ、
前記記憶部には、登録した利用者毎に、表示環境の異なる複数の照度条件に応じた前記距離情報を格納したテーブルが記憶されることを特徴とする付記１に記載の表示装置。
【０１４８】
（付記３）前記バリア手段は、前記表示部の表示面に対して平行に積層された２枚以上の遮光部材と、
前記遮光部材同士を平行に変位可能に支持する支持手段と、
を備え、
それぞれの該遮光部材の平面部分に複数の前記窓部が開口され、前記窓部同士が重なる位置に前記遮光部材が配置され、前記支持手段によって前記遮光部材を変位させることで光の照射範囲が設定される
ことを特徴とする付記１または付記２に記載の表示装置。
【０１４９】
（付記４）前記制御部は、予め設定される前記表示部と利用者との視認距離、前記利用者毎に設定された距離情報を利用して、利用者の網膜上に生じる視認ズレの大きさが前記網膜上にある視認対象の間隔よりも小さくなる前記絞りの径を算出し、この絞りの径と前記レンチキュラーレンズの厚みと前記レンチキュラーレンズの屈折力とに基づいて前記窓部の前記開口量を算出する、
ことを特徴とする付記１ないし付記３のいずれか１つに記載の表示装置。
【０１５０】
（付記５）前記制御部は、算出された前記窓部の開口量に応じて、前記遮光部材の一方を動作させ、または両方を均等に動作させることを特徴とする付記３または付記４に記載の表示装置。
【０１５１】
（付記６）前記制御部は、設定された開口量と現在の開口量との差分を算出し、該差分に応じて１または複数の前記遮光部材を動作させることを特徴とする付記５に記載の表示装置。
【０１５２】
（付記７）前記照度検出手段は、取り込んだ画像に含まれる輝度値を解析して表示環境の照度を検出することを特徴とする付記１ないし付記６のいずれか１つに記載の表示装置。
【０１５３】
（付記８）表示環境の照度を検出し、
複数のカマボコ形状の凸面部が形成されたレンチキュラーレンズにより、表示部から照射される光を集約して利用者側に投影させ、
前記表示部から照射される光を縦または横方向に制限して前記レンチキュラーレンズ側に通過させるバリア手段に形成された複数の窓部の開口量によって光の照射範囲を制限し、
前記表示部を視認する利用者の視認能力の照度に応じた表示設定情報を記憶部から読み出し、
検出した照度に応じた前記表示設定情報を利用し、前記表示部から設定距離で離間した利用者が目視する光の絞り径を算出し、
該絞り径に応じて算出した前記窓部の開口量を設定する、
処理を含むことを特徴とする表示制御方法。
【０１５４】
（付記９）予め設定される前記表示部と利用者との視認距離、前記利用者毎に設定された距離情報を利用して、利用者の網膜上に生じる視認ズレの大きさが前記網膜上にある視認対象の間隔よりも小さくなる前記絞り径を算出し、
この絞りの径と前記レンチキュラーレンズの厚みと前記レンチキュラーレンズの屈折力とに基づいて前記窓部の前記開口量を算出する、
処理を含むことを特徴とする付記８に記載の表示制御方法。
【０１５５】
（付記１０）さらに、算出された前記開口量と、現在の窓部の開口量との差分を算出し、
該差分に応じて前記窓部の一部または全部を動作させる、
処理を含むことを特徴とする付記９に記載の表示制御方法。
【０１５６】
（付記１１）さらに、表示環境に対し、設定された複数の照度条件で照明手段を発光させ、
表示部に視認能力の確認画面を表示させ、
照度条件毎に、利用者が前記確認画面を視認したときの前記表示部と前記利用者との距離情報を取得し、
前記照度条件と前記距離情報とを含む表示設定情報を生成する、
処理を含むことを特徴とする付記８ないし付記１０のいずれか１つに記載の表示制御方法。
【０１５７】
以上、本開示の技術の構成の好ましい実施形態等について説明した。しかし、本開示の技術は上記実施の形態の記載に限定されるものではない。特許請求の範囲に記載され、または明細書に開示された技術の要旨に基づき、当業者において様々な変形や変更が可能であることは勿論である。そして斯かる変形や変更が本開示の技術に含まれることは言うまでもない。
【符号の説明】
【０１５８】
２、３０  表示装置
４  表示部
６、４２  レンチキュラーレンズ
８  バリア手段
１０、１０Ａ、１０Ｂ  窓部
１２  照度検出手段
１４、６４  記憶部
１５  表示設定情報
１６、６０  制御部
２０  瞳
２２  瞳孔
２４  網膜
３６  ディスプレイ
３８  パネル部品
４０  光センサ
４４、４６  バリア部品
４８  開口窓部
５０、５２  支持部
６２  プロセッサ
６６  ＲＡＭ
７２  老眼の度合テーブル
８０  照度検出部
８２  バリア制御量算出部
８４  算出情報
８６  レンチキュラーレンズの特性情報
８８  バリア制御部
９０  照度に応じた絞り径算出機能
９２  算出された絞り径からバリア制御量を決定するバリア制御量決定機能
９４  照度に応じた老眼の度合決定機能
９６  網膜上の線の間隔決定機能
９８  絞り径決定機能
１００  照明
【図１】
2016035513.tif 000003
【図２】
2016035513.tif 000004
【図３】
2016035513.tif 000005
【図４】
2016035513.tif 000006
【図５】
2016035513.tif 000007
【図６】
2016035513.tif 000008
【図７】
2016035513.tif 000009
【図８】
2016035513.tif 000010
【図９】
2016035513.tif 000011
【図１０】
2016035513.tif 000012
【図１１】
2016035513.tif 000013
【図１２】
2016035513.tif 000014
【図１３】
2016035513.tif 000015
【図１４】
2016035513.tif 000016
【図１５】
2016035513.tif 000017
【図１６】
2016035513.tif 000018
【図１７】
2016035513.tif 000019
【図１８】
2016035513.tif 000020
【図１９】
2016035513.tif 000021
【図２０】
2016035513.tif 000022
【図２１】
2016035513.tif 000023
【図２２】
2016035513.tif 000024
【図２３】
2016035513.tif 000025
【図２４】
2016035513.tif 000026